(57)【要約】【課題】電算機室用暖気遮蔽体の取り付け取り外しを容易にすること。【解決手段】床面の開口部からサーバ冷却用の冷気が吹き出し、ラック列内のサーバを冷却する電算機室にて冷気及び暖気を分離するための電算機室用暖気遮蔽体であって、電算機室の天井から吊り下げられた複数の吊り下げ部材と、各吊り下げ部材により水平に吊り下げられた梁部材と、梁部材の垂線の足から離れて配置されたラック列の上面から梁部材をわたってラック列に対向するラック列、壁、もしくは床面にわたって覆うように配置された遮蔽部材と、を備える。【選択図】図１
2016062379.tif 000002
【特許請求の範囲】
【請求項１】
床面の開口部からサーバ冷却用の冷気が吹き出し、ラック列内のサーバを冷却する電算機室にて冷気及び暖気を分離するための電算機室用暖気遮蔽体であって、
前記電算機室の天井から吊り下げられた複数の吊り下げ部材と、
前記各吊り下げ部材により水平に吊り下げられた梁部材と、
前記梁部材の垂線の足から離れて配置されたラック列の上面から前記梁部材をわたって前記ラック列に対向するラック列、壁、もしくは床面にわたって覆うように配置された遮蔽部材と、
を備えたことを特徴とする電算機室用暖気遮蔽体。
【請求項２】
前記梁部材が棒状部材であり、前記ラック列が前記梁部材と並行に二列に配列され、前記遮蔽部材が板状部材であり、前記板状部材と前記板状部材に対向する板状部材とが前記梁部材側で組み合わさるように切り欠きが形成され、前記板状部材の前記梁部材側の縁に前記梁部材に引っ掛かることが可能なフックを備えたことを特徴とする請求項１記載の電算機室用暖気遮蔽体。
【請求項３】
前記梁部材がケーブルラックの吊り下げ部材に固定され、前記ラック列が前記吊り下げ部材に前記ケーブルラックと並行に配置され、前記遮蔽部材を構成する水平板状部材を備え、前記板状部材が前記ラックの上面から前記水平板状部材にわたって傾斜配置され、前記水平板状部材の縁に形成された貫通孔に前記水平板状部材に固定されたフックが引っ掛かるようにしたことを特徴とする請求項１記載の電算機室用暖気遮蔽体。
【請求項４】
前記吊り下げ部材がレースウェイ吊り金具であり、前記梁部材が前記レースウェイ吊り金具に吊り下げられた長尺状の照明器具であり、前記レースウェイ吊り金具のレースウェイの上側に水平に配置され、前記遮蔽部材を構成する水平板状部材を備え、前記ラック列が前記照明器具と並行に二列に配列され、前記板状部材が前記ラックの上面から前記水平板状部材にわたって傾斜配置され、前記板状部材の前記水平板状部材側の縁に前記水平板状部材に形成された貫通孔に引っ掛かることが可能なフックを備えたことを特徴とする請求項１の電算機室用暖気遮蔽体。
【請求項５】
前記梁部材が棒状部材であり、前記ラック列が前記棒状部材と並行に二列に配列され、前記遮蔽部材が、前記ラックの上面から前記ラックに対向するラックの上面にわたって前記梁部材で中央が吊り上げられ、両上面で固定された可撓性を有する樹脂シートを含むことを特徴とする請求項１記載の電算機室用暖気遮蔽体。
【請求項６】
前記樹脂シートは、前記梁部材に設けられた固定手段で固定されていることを特徴とする請求項５記載の電算機室用暖気遮蔽体。
【請求項７】
前記樹脂シートは、前記梁部材に設けられた複数の円柱突起、キノコ状突起、もしくはネジで固定されていることを特徴とする請求項５記載の電算機室用暖気遮蔽体。
【請求項８】
前記樹脂シートが２枚からなることを特徴とする請求項７記載の電算機室用暖気遮蔽体。
【請求項９】
前記梁部材が棒状部材であり、前記ラック列が電算機室内の壁に沿って前記開口部を挟んで前記壁と平行に一列に配列され、前記遮蔽部材が前記ラック列の上面から前記壁にわたって前記梁部材で吊り上げられている樹脂シートを含むことを特徴とする請求項１記載の電算機室用暖気遮蔽体。
【請求項１０】
前記梁部材が棒状部材であり、前記ラック列が電算機室内の壁に沿って前記開口部を挟んで前記壁と平行に一列に配列され、前記遮蔽部材が前記ラック列の上面から前記床にわたって前記梁部材で吊り上げられている樹脂シートを含むことを特徴とする請求項１記載の電算機室用暖気遮蔽体。
【請求項１１】
前記二列に配列されたラックの両端部の上面同士を逆Π字形状のフレームで連結し、前記板状部材を自立させたことを特徴とする請求項１から８のいずれか一項記載の電算機室用暖気遮蔽体。
【請求項１２】
電算機室の床面の開口部からサーバ冷却用の冷気を吹き出し、ラック内のサーバを冷却する空調装置と、
前記電算機室内に配置され、複数のラックからなる少なくとも１列のラック列と、
前記電算機室にて冷気及び暖気を分離するための電算機室用暖気遮蔽体と、を備えた電算機室用空調システムであって、
前記電算機室の天井から吊り下げられた複数の吊り下げ部材と、
前記各吊り下げ部材により水平に吊り下げられた梁部材と、
前記梁部材の垂線の足から離れて配置されたラックの上面から少なくとも前記梁部材にわたって配置された遮蔽部材と、
を備えたことを特徴とする電算機室用空調システム。
【発明の詳細な説明】
【技術分野】
【０００１】
本発明は、電算機室用暖気遮蔽体及び電算機室用空調システムに関する。
【背景技術】
【０００２】
床下からサーバ冷却用の冷気が吹き出し、ラック内のサーバを冷却する電算機室において、ラックの上面及び背面から排出されたサーバの暖気と、ラック前面から吸入される冷気とを遮断する際、ラック間に冷暖分離用の遮蔽体を設置していた（例えば、特許文献１参照）。
【０００３】
特許文献１に記載の発明は、サーバーラック室内システムに関するものであり、具体的には、２列のサーバーラック列と、これらに挟まれた通路と、２列のサーバーラック列に跨って通路上方空間に提供された冷風を遮蔽する遮蔽体と、から少なくとも構成されるサーバーラック室内システムであって、遮蔽体は、少なくとも１列の導光板と、導光板に取り外し自在に装着された少なくとも１列の天井パネルとから構成されており、かつ、遮蔽体はサーバーラック列の上方に吊り下げられてその一部がサーバーラック列の上面に接しており、導光板には光源が配されている。
【先行技術文献】
【特許文献】
【０００４】
【特許文献１】特開２０１３−２２５１６７号公報
【発明の概要】
【発明が解決しようとする課題】
【０００５】
しかしながら、特許文献１に記載の発明は、遮蔽体は、導光板と天井パネルのラップ箇所をボルトで固定しているため、ラックの増減に伴うレイアウトの変更の際に高所でのボルトの取り外しが必要であり、煩雑であった。
【０００６】
そこで、本発明の目的は、電算機室用暖気遮蔽体の取り付け取り外しを容易にすることにある。
【課題を解決するための手段】
【０００７】
上記課題を解決するため、請求項１に記載の発明は、床面の開口部からサーバ冷却用の冷気が吹き出し、ラック列内のサーバを冷却する電算機室にて冷気及び暖気を分離するための電算機室用暖気遮蔽体であって、前記電算機室の天井から吊り下げられた複数の吊り下げ部材と、前記各吊り下げ部材により水平に吊り下げられた梁部材と、前記梁部材の垂線の足から離れて配置されたラック列の上面から前記梁部材をわたって前記ラック列に対向するラック列、壁、もしくは床面にわたって覆うように配置された遮蔽部材と、を備えたことを特徴とする。
【発明の効果】
【０００８】
本発明によれば、電算機室用暖気遮蔽体の取り付け取り外しを容易にすることができる。
【図面の簡単な説明】
【０００９】
【図１】（ａ）は、電算機室用暖気遮蔽体に用いられる遮蔽部材の一例を示す平面図であり、（ｂ）は、（ａ）の矢印Ｐ１０方向の矢視図であり、（ｃ）は、（ａ）に示した板状部材を電算機室内に配置した状態の一例を示す正面図である。
【図２】、図１（ｃ）に示した電算機室用暖気遮蔽体が配置された電算機室用空調システムの概念図である。
【図３】（ａ）は、電算機室用暖気遮蔽体に用いられる遮蔽部材の他の一例を示す平面図であり、（ｂ）は、（ａ）の矢印Ｐ２０方向の矢視図であり、（ｃ）は、（ａ）に示した板状部材を電算機室内に配置した状態の他の一例を示す正面図である。
【図４】（ａ）は、図３（ｃ）に示した水平板状部材２３−１の平面図であり、（ｂ）は、（ｃ）の領域Ａの断面図であり、（ｃ）は、図３（ｃ）の外観斜視図であり、（ｄ）は、（ｃ）の変形例である。
【図５】（ａ）は、電算機室用暖気遮蔽体に用いられる遮蔽部材の他の一例を示す平面図であり、（ｂ）は、（ａ）の矢印Ｐ３０方向の矢視図であり、（ｃ）は、（ｄ）に示した遮蔽板状部材の平面図であり、（ｄ）は、電算機室用暖気遮蔽体を電算機室内に配置した状態の他の一例を示す正面図である。
【図６】（ａ）は、図５（ｃ）に示した電算機室用暖気遮蔽体に用いられる遮蔽部材を構成する水平板状部材の外観斜視図であり、（ｂ）は、図５（ｄ）に示した電算機室用暖気遮蔽体の外観斜視図である。
【図７】（ａ）、（ｂ）は、電算機室用暖気遮蔽体に用いられる遮蔽部材の他の一例を示す平面図であり、（ｃ）は、電算機室用暖気遮蔽体を電算機室内に配置した状態の他の一例を示す正面図である。
【図８】図７（ｃ）に示した電算機室用暖気遮蔽体に用いられる遮蔽部材を構成する水平板状部材の外観斜視図である。
【図９】（ａ）、（ｂ）は、電算機室用暖気遮蔽体に用いられる遮蔽部材の他の一例を示す平面図であり、（ｃ）は、（ａ）、（ｂ）に示した遮蔽部材の変形例を示す平面図であり、（ｄ）、（ｅ）は、梁部材の変形例を示す外観図であり、（ｆ）は、電算機室用暖気遮蔽体に用いられる遮蔽部材を構成する水平板状部材の外観斜視図である。
【図１０】（ａ）〜（ｃ）は、電算機室用暖気遮蔽体に用いられる遮蔽部材の他の一例を示す外観図であり、（ｄ）は、電算機室用暖気遮蔽体に用いられる梁部材の他の一例を示す外観図であり、（ｅ）は、電算機室用暖気遮蔽体を電算機室内に配置した状態の他の一例を示す外観斜視図である。
【図１１】（ａ）〜（ｃ）は、電算機室用暖気遮蔽体に用いられる遮蔽部材の他の一例を示す外観図であり、（ｄ）は、電算機室用暖気遮蔽体を電算機室内に配置した状態の他の一例を示す外観斜視図である。
【図１２】（ａ）〜（ｃ）は、電算機室用暖気遮蔽体に用いられる遮蔽部材の他の一例を示す外観図であり、（ｄ）は、電算機室用暖気遮蔽体を電算機室内に配置した状態の他の一例を示す外観斜視図である。
【図１３】電算機室用暖気遮蔽体の両端部及びラック列間の通路を遮蔽する遮蔽部材の一実施の形態を示す外観斜視図である。
【図１４】（ａ）〜（ｄ）は、図１（ｂ）に示したフックの変形例を示す概念図である。
【図１５】（ａ）、（ｂ）は、梁部材の変形例である。
【図１６】梁部材の変形例である。
【発明を実施するための形態】
【００１０】
本発明に係る電算機室用暖気遮蔽体及び電算機室用空調システムの実施形態について説明する。
＜実施形態１＞
図１（ａ）は、電算機室用暖気遮蔽体に用いられる遮蔽部材の一例を示す平面図であり、図１（ｂ）は、図１（ａ）の矢印Ｐ１０方向の矢視図であり、図１（ｃ）は、図１（ａ）に示した遮蔽部材を電算機室内に配置した状態の一例を示す正面図である。図２は、図１（ｃ）に示した電算機室用暖気遮蔽体が配置された電算機室用空調システムの概念図である。以下、同様の部材には共通の符号を用いた。
【００１１】
図１（ｃ）に示すように電算機室内には複数のラックが並列配置されたラック列１、２が配置され、各ラック内に収容された図示しないサーバを冷却するための冷却用の冷気が床の開口部３から矢印Ｐ１、Ｐ４のように吹き出し、ラック列１、２内のサーバを冷却するようになっている。
すなわち、図２に示す電算機室用空調システムは、電算機室の床面の開口部３からサーバ冷却用の冷気を吹き出し、ラック列１、２内のサーバを冷却する空調装置１９と、電算機室内に配置されたラック列１、２と、電算機室にて冷気及び暖気を分離するための電算機室用暖気遮蔽体１０−１と、を備えた電算機室用空調システムであって、電算機室の天井から吊り下げられた複数の吊り下げ部材１１−１、１１−２と、各吊り下げ部材１１−１、１１−２により水平に吊り下げられた梁部材１７と、梁部材１７の垂線の足Ｆから離れて配置されたラック列１、２の上面から梁部材１７に傾斜配置された遮蔽部材としての板状部材１２−１、１２−２、１３−１、１３−２と、を備えたものである。
【００１２】
図２に示すように電算機室内に配置された１台（図では１台であるが限定されない。）の空調装置１９から床下のダクトに冷気が供給され、床下の通風口（図では１カ所であるが限定されない）を介してラック列の前面側の床に形成された開口部３から吹き出すようになっている。
ラック列１、２と天井との間には、冷気及び暖気を分離するための電算機室用暖気遮蔽体１０−１が着脱自在に配置されている。
電算機室用暖気遮蔽体１０−１は、複数の吊り下げ部材１１−１、１１−２と、梁部材１７と、複数の板状部材１２−１、１２−２、１３−１、１３−２と、を有する。
吊り下げ部材１１−１、１１−２は電算機室の天井から吊り下げられており、例えば、吊りボルト、レースウェイ吊り金具、もしくはワイヤーロープが挙げられる。
梁部材１７は、各吊り下げ部材１１−１、１１−２により水平に吊り下げられた棒状部材であり、例えば、金属、樹脂または木材からなり、中空であっても中実であってもよく、断面形状は円形、楕円形、多角形、繭型であってもよい。また、断面がΠ字形状のレースウェイなどの金属板を折り曲げ加工した部材や異形状の部材でもよい。梁部材１７の下にはＬＥＤ（Light Emitting Diode）等の照明器具１８、人感センサ、温度センサ、湿度センサが設けられていても良い。
【００１３】
図１（ａ）、（ｂ）に示すように遮蔽部材としての板状部材１２−１は、矩形状に形成され、梁部材１７側の一方の縁に梁部材１７に引っ掛かることが可能なＪ字形状（もしくはＵ字形状）のフック１４−１、１４−２を備えている。
【００１４】
板状部材１２−１、１２−２、１３−１、１３−２には、一方の縁に切り欠き１３−１ａ、１３−１ｂが形成されている。これは、板状部材１２−１と、対向する板状部材と１３−１とを梁部材１７に傾斜配置して組み合わせることで梁部材１７に沿ってずれるのを防止するためである。板状部材１２−２、１３−１、１３−２も板状部材１２−１と同様の構成である。
板状部材１２−１、１２−２、１３−１、１３−２の材質は、可撓性を有さない、例えば、透明な中空ポリカーボネートもしくはアクリル樹脂が用いられる。このため、電算機室の天井に照明器具がある場合には、ラック１、２間の通路に照明光が照射される。尚、電算機室の天井に照明器具が無い場合や照明器具があってもラック列１、２間の通路に十分な照度が得られない場合には梁部材１７に照明器具を設ける必要があるが、この場合には板状部材１２−１、１２−２、１３−１、１３−２には、中空ポリカーボネートのような透明な素材には限定されず、不透明な樹脂板、不透明な樹脂段ボールや金属板を用いても良い。
【００１５】
フック１４−１は、板状部材１３−１にボルト１５及びナット１６で固定されている。フック１４−２もフック１４−１と同様にボルト１５及びナット１６で固定されている。ナット１６と板状部材１３−１との間にはスプリングワッシャ及びワッシャが用いられても良く、ボルト１５及びナット１６はネジロック剤で固定されていても良く、他のフック１４−２〜１４−４も同様である。
板状部材１２−１、１２−２、１３−１、１３−２は、梁部材１７の垂線の足Ｆから所定の距離（例えば、人が通行できる距離）だけ離れて配置されたラック列１、２の上面から梁部材１７に傾斜配置されている。
【００１６】
このように板状部材１２−１、１２−２、１３−１、１３−２をラック列１から梁部材１７をわたってラック列２まで屋根のように覆うことにより、ラック列１、２の背面から矢印方向Ｐ２、Ｐ６の方向に排出される暖気が破線矢印Ｐ３、Ｐ５のようにラック列１、２の前面に回り込むのが防止される。
【００１７】
図２に示すように電算機室内のラック列１、２は８台のラックからなるが、ラック列１、２のラックの台数を増設する場合には、電算機室内のラック列１、２に増設可能な台数の長さに、予め吊り下げ部材及び梁部材を設置しておき、増設されたラックの分だけ、梁部材に各板状部材のフックを引っ掛けるだけで取り付け工事が完了する。従来のような板状部材のネジ止めに比べて大幅に取り付け工事の工期が短縮する。また、電算機室内のラック列１、２のレイアウト変更を行う場合にも板状部材の取り外しは充電ドライバ等の工具を用いずに持ち上げるだけで取り外すことができるので、レイアウト変更に伴う工期の短縮が期待できる。
【００１８】
＜実施形態２＞
図３（ａ）は、電算機室用暖気遮蔽体に用いられる板状部材の他の一例を示す平面図であり、図３（ｂ）は、図３（ａ）の矢印Ｐ２０方向の矢視図であり、図３（ｃ）は、図３（ａ）に示した板状部材を電算機室内に配置した状態の他の一例を示す正面図である。図４（ａ）は、図３（ｃ）に示した水平板状部材２３−１の平面図であり、図４（ｂ）は、図４（ｃ）の領域Ａの断面図であり、図４（ｃ）は、図３（ｃ）の外観斜視図であり、図４（ｄ）は、図４（ｃ）の変形例である。以下、空調装置１９は省略してある。尚、本実施形態において、記載していない箇所については、実施形態１と同様である。
【００１９】
図３（ａ）〜（ｃ）に示した実施の形態の図１（ａ）〜（ｃ）に示した実施の形態との相違点は、吊り下げ部材としてケーブルラックの吊り下げ部材を用いた点である。
すなわち、電算機室用暖気遮蔽体１０−２は、梁部材がケーブルラック２５の吊り下げ部材１１−３、１１−４、１１−５、１１−６に固定され、ラック列１、２が吊り下げ部材１１−３、１１−４、１１−５、１１−６にケーブルラック２５と並行に配置され遮蔽部材を構成する水平板状部材２３−１、２３−２を備え、遮蔽部材を構成する板状部材２２−１、２２−２、２３−１、２３−２がラック列１、２の上面から水平板状部材２３−１、２３−２にわたって傾斜配置され、水平板状部材２３−１、２３−２側の縁に形成された貫通孔に水平板状部材に固定されたフックが引っ掛かるようにしたものである。
板状部材２１−１、２１−２、２２−１、２２−２、２３−１、２３−２の材質は、前述したように中空ポリカーボネートもしくはアクリル樹脂が挙げられる。
【００２０】
梁部材１７−１、１７−２と吊り下げ部材１１−３、１１−４、１１−５、１１−６とは、例えば市販のクロスジョイント（パイプジョイントとも言う）２９で結合されているが、本発明はこれに限定されるものではなく、例えば、ビニールハウスのパイプを固定するための市販のクロスバンドを流用してもよい。
板状部材２１−１、２１−２、２２−１、２２−２の梁部材１７−１、１７−２への着脱自在な固定には、図１（ｂ）に示したフック１４−１〜１４−４、ボルト１５及びナット１６と同様の部材が挙げられる。尚、図３（ａ）に示す切り欠き２１−１ａ、２１−１ｂは板状部材２１−１を梁部材１７−１に傾斜配置するときに吊り下げ部材１１−３、１１−４間に挿入するためのものであり、他の板状部材２１−２〜２２−２についても同様である。
【００２１】
図４（ａ）に示すように水平板状部材２３−１は、板状部材２１−１、２２−１に固定されたフックが挿入される貫通孔２３−１ａ、２３−１ｂ、２３−１ｃ、２３−１ｄが形成されている。貫通孔２３−１ａ、２３−１ｂ、２３−１ｃ、２３−１ｄの形状は図では長方形であるが、フック１４−１が引っ掛かる形状であれば円形、楕円、長円形、多角形等いずれの形状であってもよい。
【００２２】
水平板状部材２３−１と梁部材１７−１との固定方法としては、例えば、図４（ｂ）に示すように、サドルバンド（半円バンドとも言う）２６、ボルト２７−１、２８−１、及びナット２７−２、２８−２が挙げられるが、本発明はこれに限定されるものではなく、図４（ｄ）に示すように複数の貫通孔を形成した矩形状の板状部材の両側を折り曲げた水平板状部材２３−３を梁部材１７−１、１７−２に掛け渡し他後で、板状部材２１−１、２１−２、２２−１、２２−２の各フックを貫通孔に引っ掛けて傾斜配置させてもよい。尚、図４（ａ）に示す切り欠き２３−１ｅ、２３−１ｆは水平板状部材２３−１の縁を梁部材１１−３、１１−５間に位置させるためであり、他の水平板状部材２３−２も同様である。
【００２３】
このような電算機室用暖気遮蔽体１０−２を用いても実施形態１と同様の効果が得られる。
【００２４】
＜実施形態３＞
図５（ａ）は、電算機室用暖気遮蔽体に用いられる板状部材の他の一例を示す平面図であり、図５（ｂ）は、図５（ａ）の矢印Ｐ３０方向の矢視図であり、図５（ｃ）は、図５（ｄ）に示した水平板状部材の平面図であり、図５（ｄ）は、電算機室用暖気遮蔽体を電算機室内に配置した状態の他の一例を示す正面図である。図６（ａ）は、図５（ｃ）に示した電算機室用暖気遮蔽体に用いられる水平板状部材の外観斜視図であり、図６（ｂ）は、図５（ｄ）に示した電算機室用暖気遮蔽体の外観斜視図である。尚、本実施形態において、記載していない箇所については、実施形態１と同様である。
【００２５】
図５（ａ）〜（ｄ）に示した実施形態の図３（ａ）〜（ｃ）に示した実施の形態との相違点は、ケーブルラックの代わりに蛍光灯を用いた点である。
すなわち、電算機室用暖気遮蔽体１０−３は、吊り下げ部材３１−１、３１−２がレースウェイ吊り金具であり、梁部材が吊り下げ部材３１−１、３１−２に吊り下げられた長尺状の照明器具（例えば、蛍光灯）３６であり、吊り下げ部材３１−１、３１−２の照明器具取り付け部材としてのレースウェイ３５の上側に水平に配置された水平板状部材３４−２を備え、ラックの複数としてのラック列１、２が照明器具３６と並行に二列に配列され、遮蔽部材を構成する板状部材３２−１、３３−１がラック列１、２の上面から遮蔽部材を構成する水平板状部材３４−２にわたって傾斜配置され、板状部材３２−１、３３−１の水平板状部材３４−２側の縁に水平板状部材３４−２に形成された貫通孔３４−２ａ〜３４−２ｄに引っ掛かることが可能なフックを備えたものである。
【００２６】
図５（ａ）に示すように板状部材３３−１は、矩形状の中空ポリカーボネートであり、一方の縁にフック１４−１、１４−２がボルト１５及びナット１６で固定されている。
【００２７】
図５（ｃ）に示すように水平板状部材３４−１は、矩形状の中空ポリカーボネートからなり、四隅に板状部材３２−１、３２−２、３３−１、３３−２のフック１４−１、１４−２が引っ掛かることが可能な貫通孔３４−１ａ、３４−１ｂ、３４−１ｃ、３４−１ｄが形成されている。貫通孔３４−１ａ、３４−１ｂ、３４−１ｃ、３４−１ｄの形状は、図では矩形であるが限定されるものはなく、円形、長円形、楕円、多角形のいずれであっても良い。
水平板状部材３４−１の短辺には半円状の切り欠き３４−１ｅ、３４−１ｆが形成されている。これらの切り欠き３４−１ｅ、３４−１ｆは、吊り下げ部材３１−１、３１−２もしくはボルトで固定されるためのものである。図６（ａ）に示すように水平板状部材３４−１は、ボルト３７−１、３７−２でレースウェイ３５及び蛍光灯３６に固定され、水平板状部材３４−２は、ボルト３７−３、３７−４でレースウェイ及び蛍光灯３６に固定されている。
板状部材３３−１のフック１４−１、１４−２が水平板状部材３４−１の貫通孔３４−１ａ、３４−１ｃに引っ掛かることでラック列１の上面から水平板状部材３４−１に傾斜配列されている。板状部材３３−２、３４−１、水平板状部材３４−２も板状部材３３−１と同様である。
【００２８】
以上より電算機室用暖気遮蔽体１０−３は、予め蛍光灯３６に設けられた水平板状部材３４−１、３４−２に形成された貫通孔に板状部材３２−１、３２−２、３３−１、３３−２のフックを引っ掛けて傾斜配置することにより、工具を用いることなくラック列１、２と蛍光灯３６との間を覆うことができ、ラック列１、２からの暖気が前面に回り込むのを防止することができる。
【００２９】
＜実施形態４＞
図７（ａ）、（ｂ）は、電算機室用暖気遮蔽体に用いられる遮蔽部材の他の一例を示す平面図であり、図７（ｃ）は、電算機室用暖気遮蔽体を電算機室内に配置した状態の他の一例を示す正面図である。図８は、図７（ｃ）に示した電算機室用暖気遮蔽体に用いられる遮蔽部材の外観斜視図である。尚、本実施形態において、記載していない箇所については、実施形態１と同様である。
【００３０】
図７（ａ）〜（ｃ）に示した実施の形態の図１（ａ）〜（ｃ）に示した実施の形態との相違点は、遮蔽部材として中空ポリカーボネートの代わりに樹脂シートを用いた点である。
すなわち、電算機室用暖気遮蔽体１０−４は、梁部材１７が棒状部材であり、ラックの複数であるラック列１、２が梁部材１７と並行に二列に配列され、遮蔽部材を構成するシート状部材４２−１が、ラック列１の上面からラック列１に対向するラック列２の上面にわたって梁部材１７で中央が吊り上げられ、両ラック列１、２の上面で固定された可撓性を有する樹脂シート（例えば、ポリカーボネートシート等の透明で可撓性を有する樹脂であれがよいが、梁部材の下側にＬＥＤ等の照明器具を用いる場合には可撓性を有する樹脂であれば不透明であってもよい。）である。
ここで、図では、梁部材１７をパイプ状の棒状部材で記載したが、棒状部材は、例えば、金属、樹脂または木材からなり、中空であっても中実であってもよく、断面形状は円形以外にも、楕円形、多角形、繭型であってもよい。また、断面がΠ字形状のレースウェイなどの金属板を折り曲げ加工した部材や異形状の部材でもよい。
【００３１】
遮蔽部材としてのシート状部材４２−１は、図７（ａ）に示すように梁部材１７に吊り下げたときに直交する一対の縁に半円状の切り欠き４２ｅ、４２ｆが形成されている。シート状部材４２−１の残りの一対の縁には固定具４８−１、４８−２が設けられている。固定具４８−１、４８−２は、金属、もしくはプラスチックからなる長尺状の部材である。固定具４８−１、４８−２にはシート状部材４３−１ごと貫通する貫通孔４２ａ、４２ｂ、４２ｃ、４２ｄが形成されている。シート状部材４３−１の切り欠き４２ｆ側は所定幅（例えば、２０ｍｍ）だけ延長されたのりしろを有し、のりしろの表には二つの面ファスナーのフック４４が貼りつけられている。
【００３２】
シート状部材４２−２は、図７（ｂ）に示すように梁部材１７に吊り下げたときに直交する一対の縁に半円状の切り欠き４２ｋ、４２ｌが形成されている。シート状部材４２−２の残りの一対の縁には固定具４８−１、４８−２が設けられている。シート状部材４２−２には固定具ごと貫通する貫通孔４２ｇ、４２ｈ、４２ｉ、４２ｊが形成されている。シート状部材４３−２の切り欠き４２ｌ側は所定幅（例えば、２０ｍｍ）だけ延長されたのりしろを有し、のりしろの裏面には二つの面ファスナーのループ４５が貼りつけられている。
面ファスナーは、シート状部材４２−１とシート状部材４２−２とを梁部材１７に並列に吊り下げる際にフック４４とループ４５とを重ね合わせることでシート状部材４２−１とシート状部材４２−２との間に隙間が生じるのを防止するためのものである。
【００３３】
ラック列１、２の上面にはラック列１、２の背面側に向かって湾曲した突起部４９−１、４９−２が設けられている。突起部４９−１、４９−２がラック列１、２の背面側に湾曲しているのは、突起部４９−１、４９−２にシート状部材４２−１、４２−２の貫通孔４２ａ〜４２ｄ、４２ｇ〜４２ｊを引っ掛けたときに冷気の風圧でシート状部材４２−１、４２−２が抜けるのを防止するためである。尚、冷気の風圧は床の開口部３からの高さ３０ｃｍにてＡ４サイズの紙が手で押さえられる程度の圧力である。突起部４９−１の外径は貫通孔４２ａ〜４２ｄを貫通できる程度であればよい。
シート状部材４２−１、４２−２の一方の縁の貫通孔４２ｃ、４２ｄ、４２ｉ、４２ｊを突起部４９−１に引っ掛けてラック列１の上面から梁部材１７をわたってラック列２の上面にて他方の縁の貫通孔４２ａ、４２ｂ、４２ｇ、４２ｈを突起部４９−２に引っ掛ける。このとき、図８に示すようにシート状部材４２−１の切り欠き４２ｅが吊り下げ部材１１−１に位置し、切り欠き４２ｆは梁部材１７の中央に設けられたボルト（もしくは突起）１７ａに位置するのが好ましい。シート状部材４２−２も同様である。このように遮蔽部材としてのシート状部材４２−１、４２−２を配置することによりシート状部材４２−１、４２−２が自重により矢印Ｐ４０、Ｐ４１の方向に力が発生して正規分布曲線のように湾曲する。シート状部材４２−１、４２−２の自重で湾曲しても突起部４９−１、４９−２が離反する方向に湾曲しているので、シート状部材４２−１、４２−２抜けるのを防止する効果がある。
【００３４】
このような電算機室用暖気遮蔽体１０−４を用いて電算機室用空調システムを構成しても実施形態１と同様の効果が得られる。また、電算機室内のレイアウト変更の際には面ファスナーを剥がすことでシート状部材４２−１、４２−２を容易に撤去でき、再レイアウト時には再度シート状部材４２−１、４２−２同士を貼り合わせることで設置することができる。
【００３５】
＜実施形態５＞
図９（ａ）、（ｂ）は、電算機室用暖気遮蔽体に用いられるシート状部材の他の一例を示す平面図であり、図９（ｃ）は、図９（ａ）、（ｂ）に示したシート状部材の変形例を示す平面図であり、図９（ｄ）、（ｅ）は、梁部材の変形例を示す外観図であり、図９（ｆ）は、電算機室用暖気遮蔽体に用いられる梁部材の外観斜視図である。尚、本実施形態において、記載していない箇所については、実施形態１と同様である。
【００３６】
図９（ａ）〜（ｆ）に示した実施の形態と図７（ａ）〜（ｃ）に示した実施の形態との相違点は、梁部材１７に円柱突起もしくはキノコ状突起を設け、シート状部材を少なくとも２枚吊り下げるようにした点である。
すなわち、電算機室用暖気遮蔽体１０−５は、梁部材１７が棒状部材であり、梁部材１７に設けられた位置固定用金具としての複数の円柱突起５８（図９（ｃ））もしくはキノコ状突起部５９（図９（ｄ））でシート状部材５２−１、５２−２が着脱自在に固定されている。ここで、キノコ状突起部５９は遮蔽部材を構成するシート状部材５２−１、５２−２の貫通孔５２−１ｆ（５２−２ｆ）、５２−１ｇ（５２−２ｇ）に挿入させた場合頭部が胴部より大きいため、抜けにくくなるという効果が得られる。尚、円柱突起５８、キノコ状突起５９の代わりにネジを用いてもよい。
ここで、図では、梁部材１７をパイプ状の棒状部材で記載したが、棒状部材は、例えば、金属、樹脂または木材からなり、中空であっても中実であってもよく、断面形状は円形以外にも、楕円形、多角形、繭型であってもよい。また、断面がΠ字形状のレースウェイなどの金属板を折り曲げ加工した部材や異形状の部材でもよい。
【００３７】
図９（ａ）に示すシート状部材５２−１は、梁部材１７に吊り下げたときに梁部材１７と直交する縁の中央に半円状の切り欠き５２−１ｇが形成され、梁部材１７と平行な縁に固定具４８−１、４８−２、４８−３が設けられ、固定具４８−１〜４８−３ごと貫通する貫通孔５２−１ａ〜５２−１ｆが形成されている。シート状部材５２−１の切り欠き５２−１ｇと反対側の縁（図９（ａ）の右側）は所定の長さだけ延長したのりしろを有する。こののりしろの裏面には面ファスナーのフック５４が貼り付けられている。
【００３８】
図９（ｂ）に示すシート状部材５２−２は、固定具４８−３と直交する軸に対して図９（ａ）に示したシート状部材５２−１とほぼ線対称に形成されている。「ほぼ」とはのりしろの裏面ではなく表面に面ファスナーのループ５３が形成されていることを意味する。
シート状部材５２−２は、梁部材１７に吊り下げたときに梁部材１７と直交する縁に半円状の切り欠き５２−２ｇが形成され、梁部材１７と平行な縁に固定具４８−１〜４８−３が設けられ、シート状部材５２−２には固定具ごと貫通する貫通孔５２−２ａ〜５２−２ｆが形成されている。シート状部材５２−２の切り欠き５２−２ｇと反対側の縁（図９（ｂ）の左側）は所定の長さだけ延長したのりしろを有する。こののりしろの表面には面ファスナーのループ５３が貼り付けられている。尚、面ファスナーのループ５３とフック５４とは逆であってもよい。
【００３９】
ラック列１からラック列２まで梁部材１７をわたってシート状部材５２−１、５２−２を取り付ける方法については実施形態４と同様であるので説明を省略する。
【００４０】
ここで、図９（ｃ）に示したシート状部材５２−３は、梁部材１７が長く、かつ梁部材１７に３枚以上のシート状部材を吊り下げる場合にシート状部材５２−１とシート状部材５２−２との間に位置するように用いられるものである。
シート状部材５２−３は、梁部材１７に吊り下げた場合に梁部材１７と直交する一対の縁の延長部であるのりしろのうちの一方ののりしろの表面に面ファスナーのループ５３が貼り付けられ、他方ののりしろの裏面に面ファスナーのフック５４が貼り付けられたものである。
貫通孔５２−３ａ〜３ｇ、固定具４８−１〜４８−３は、シート状部材５２−１、５２−２と同様であるので、説明を省略する。
シート状部材５２−３をシート状部材５２−１、５２−２と共に梁部材１７に吊り下げる場合、シート状部材５２−１、５２−２の面ファスナーのループ５３及びフック５４がシート状部材５２−３の面ファスナーのループ５３及びフック５４が貼り合わさるようにすることでシート状部材５２−１〜５２−３間に隙間が生じるのが防止される。
【００４１】
このような電算機室用暖気遮蔽体１０−５を用いても実施形態１と同様の効果が得られる。また、電算機室内のレイアウト変更の際には面ファスナーを剥がすことでシート状部材５４−１〜５４−３を容易に撤去でき、再度シート状部材５４−１〜５４−３同士を貼り合わせて再レイアウトすることができる。
【００４２】
＜実施形態６＞
図１０（ａ）〜（ｃ）は、電算機室用暖気遮蔽体に用いられるシート状部材の他の一例を示す外観図であり、図１０（ｄ）は、電算機室用暖気遮蔽体に用いられる梁部材の他の一例を示す外観図であり、図１０（ｅ）は、電算機室用暖気遮蔽体を電算機室内に配置した状態の他の一例を示す外観斜視図である。尚、本実施形態において、記載していない箇所については、実施形態１と同様である。
【００４３】
図１０（ａ）〜（ｅ）に示した実施の形態の図９（ａ）〜（ｆ）に示した実施の形態との相違点は、１枚のシート状部材が２枚のシート状部材からなる点である。
すなわち、電算機室用暖気遮蔽体１０−６は、吊り下げ部材１１−１、１１−２と、梁部材１７と、ラック列１の上面から梁部材１７にわたって配置され、遮蔽部材を構成するシート状部材６１−１、６２−１と、ラック列２の上面から梁部材１７にわたって配置され、シート状部材６１−２、６２−２と、を備えたものである。
【００４４】
図１０（ａ）に示すシート状部材６１−１は、梁部材１７に吊り下げたときに梁部材１７と直交する縁の梁部材１７の位置に半円状の切り欠き６１−１ｅが形成され、梁部材１７と平行な縁に固定具４８−１、４８−２が設けられ、シート状部材６１−１ごと貫通孔６１−１ａ、６１−１ｂ、６１−１ｃ、６１−１ｄが形成されている。シート状部材６１−１の切り欠き６１−１ｅと反対側の縁は所定の長さだけ延長したのりしろを有する。こののりしろの表面には面ファスナーのフック６３が貼り付けられている。
【００４５】
図１０（ｂ）に示すシート状部材６１−２は、固定具４８−１と並行な線を軸としてシート状部材６１−１と線対称に形成されている。すなわち、シート状部材６１−２は、梁部材１７に吊り下げたときに梁部材１７と直交する縁の梁部材１７の位置に半円状の切り欠き６１−２ｅが形成され、梁部材１７と平行な縁に固定具４８−１、４８−２が設けられ、シート状部材６１−２ごと貫通孔６１−２ａ〜６１−２ｄが形成されている。シート状部材６１−２の切り欠き６１−２ｅと反対側の縁は所定の長さだけ延長したのりしろを有する。こののりしろの表面には面ファスナーのフック６３が貼り付けられている。
【００４６】
図１０（ｅ）に示すシート状部材６２−１は、面ファスナーのフック６３と平行な線を軸としてシート状部材６１−１とほぼ線対称に形成されており、シート状部材６２−２は、フック６３と平行な線を軸としてシート状部材６１−２とほぼ線対称に形成されている。「ほぼ」というのは、シート状部材６１−２、６２−２の面ファスナーはフックではなくループ６４であり、シート状部材６１−２、６２−２の裏面に貼り付けられている点が相違しているだけで他の点は同様のため、説明を省略する。
【００４７】
梁部材１７は、例えば図１０（ｄ）に示すように棒状部材に複数のネジ６８が設けられたものであるが、本発明はこれに限定されず円柱突起やキノコ状の突起であってもよい。
ここで、図では、梁部材１７をパイプ状の棒状部材で記載したが、棒状部材は、例えば、金属、樹脂または木材からなり、中空であっても中実であってもよく、断面形状は円形以外にも、楕円形、多角形、繭型であってもよい。また、断面がΠ字形状のレースウェイ等の金属板を折り曲げ加工した部材や異形状の部材でもよい。
【００４８】
シート状部材６１−１、６１−２、６２−１、６２−２のラック列１、２と梁部材１７との間への取り付けは、シート状部材６１−１の貫通孔６１−１ｃ、６１−１ｄとシート状部材６１−２の貫通孔６１−２ａ、６１−２ｂを固定具４８−１が重なるように梁部材１７にネジ６８でネジ止めし、ラック列１の突起部４９−１にシート状部材６１−１の貫通孔６１−１ａ、６１−１ｂを引っ掛け、ラック列２の突起部４９−２にシート状部材６１−２の貫通孔６１−２ａ、６１−２ｂを引っ掛けることでシート状部材６１−１、６１−２の取り付けが完了する。シート状部材６２−１、６２−２の取り付けもシート状部材６１−１、６１−２と同様であるが、面ファスナーのフックとループとが張り合わされるようにする必要がある。
【００４９】
図１０（ｃ）に示すシート状部材６１−３は、図１０（ｅ）に示した電算機室用暖気遮蔽体１０−６を拡張する場合に用いられるシート状部材である。
すなわち、梁部材１７の長さが長く、吊り下げ部材１１−１、１１−２の間隔が長い場合シート状部材６１−１、６１−２と、シート状部材６２−１、６２−２との間に貼り合わせられるようになっている。
シート状部材６１−３は、梁部材１７側の縁に固定具４８−４が張り合わされて貫通孔６１−３ｃ、６１−３ｄ、６１−３ｅが形成され、固定具４８−４に対向する縁に固定具４８−３が張り合わされて貫通孔６１−３ａ、６１−３ｂが形成されている。固定具４８−３に並行に両側に延長されたうちの一方の延長部の表面には面ファスナーのフック６３が貼り付けられ、他方の延長部の裏面には面ファスナーのループ６４が貼り付けられている。
シート状部材６１−３を複数枚準備し、シート状部材６１−１、６１−２と、シート状部材６２−１、６２−２との間に面ファスナーのフックとループとが張り合わされるように取り付けることで電算機室用暖気遮蔽体の取り付けが完了する。
【００５０】
＜実施形態７＞
図１１（ａ）〜（ｃ）は、電算機室用暖気遮蔽体に用いられるシート状部材の他の一例を示す外観図であり、図１１（ｄ）は、電算機室用暖気遮蔽体を電算機室内に配置した状態の他の一例を示す外観斜視図である。尚、本実施形態において、記載していない箇所については、実施形態１と同様である。
【００５１】
図１１（ａ）〜（ｄ）に示した実施の形態の図９（ａ）〜（ｆ）に示した実施の形態との相違点は、電算機室用暖気遮蔽体の一方の側が壁であり他方の側にラック列が配置されている点である。
すなわち、電算機室用暖気遮蔽体１０−７は、梁部材１７が棒状部材であり、ラック列２が電算機室内の壁に沿って開口部３を挟んで壁と平行に一列に配列され、遮蔽部材がラック列２の上面から壁にわたって吊り下げ部材１１−１、１１−２で吊り上げられている樹脂シートを含むものである。
ここで、図では、梁部材１７をパイプ状の棒状部材で記載したが、棒状部材は、例えば、金属、樹脂または木材からなり、中空であっても中実であってもよく、断面形状は円形以外にも、楕円形、多角形、繭型であってもよい。また、断面がΠ字形状のレースウェイなどの金属板を折り曲げ加工した部材や異形状の部材でもよい。
壁のラック列２の上面より上側に設けられたフック７９にシート状部材５２−１、５２−２の貫通孔５２−１ｃ、５２−１ｄ、５２−２ｃ、５２−２ｄが引っ掛けられている。
尚、シート状部材５２−１、５２−２は、１枚のシート状部材で構成されずに、実施形態６のように、２枚のシート状部材で構成されてもよい。
【００５２】
このような電算機室用暖気遮蔽体１０−７においても実施形態１と同様の効果が得られる。
【００５３】
＜実施形態８＞
図１２（ａ）〜（ｃ）は、電算機室用暖気遮蔽体に用いられるシート状部材の他の一例を示す外観図であり、図１２（ｄ）は、電算機室用暖気遮蔽体を電算機室内に配置した状態の他の一例を示す外観斜視図である。尚、本実施形態において、記載していない箇所については、実施形態１と同様である。
【００５４】
図１２（ａ）〜（ｄ）に示した実施の形態の図９（ａ）〜（ｆ）に示した実施の形態との相違点は、電算機室用暖気遮蔽体の一方の側が床に接触すると共に他方の側にラック列が配置されている点である。
すなわち、電算機室用暖気遮蔽体１０−８は、梁部材１７が棒状部材であり、ラック列２が電算機室内の壁に沿って開口部３を挟んで壁と平行に一列に配列され、遮蔽部材としてのシート状部材７２−１、７２−２がラック列２の上面から床にわたって吊り下げ部材１１−１、１１−２で吊り上げられている樹脂シートを含むものである。
ここで、図では、梁部材１７をパイプ状の棒状部材で記載したが、棒状部材は、例えば、金属、樹脂または木材からなり、中空であっても中実であってもよく、断面形状は円形以外にも、楕円形、多角形、繭型であってもよい。また、断面がΠ字形状のレースウェイなどの金属板を折り曲げ加工した部材や異形状の部材でもよい。
図１２（ａ）〜（ｃ）に示したシート状部材７２−１〜７２−３は、図９（ａ）〜（ｃ）に示したシート状部材５２−１〜５２−３の固定具４８−２から固定具４８−３までの長さを固定具４８−２が床上に接触できる程度の長さに延長されたものであり、その他の点については同様である。
尚、シート状部材７２−１〜７２−３の固定具４８−２側はそのまま床に接触させてもよく、突起部を床に設けると共に、突起部に貫通孔５２−１ｃ、５２−１ｄ、５２−２ｃ、５２−２ｄを引っ掛けても良い。
尚、シート状部材７２−１〜７２−３は、１枚のシート状部材で構成されずに、実施形態６のように、２枚のシート状部材で構成されてもよい。
【００５５】
このような電算機室用暖気遮蔽体１０−８においても実施形態１と同様の効果が得られる。
【００５６】
＜実施形態９＞
図１３は、電算機室用暖気遮蔽体の両端部及びラック列間の通路を遮蔽する遮蔽手段の一実施の形態を示す外観斜視図である。尚、本実施形態において、記載していない箇所については、実施形態１と同様である。
ラック列１の上面とラック列２の上面と梁部材との間に電算機室用暖気遮蔽体１０−１、１０−２、１０−３、１０−４、１０−５、１０−６を配置することでラック列１、２の背面から排出される暖気がラック列１、２の前面に回り込むのが防止されるが、そのままであると通路の両側から暖気がラック列１、２の前面に回り込む。
そこで、図１３に示すラック列１、２の両端の上面同士を逆Π字形状のフレーム９１で連結し、フレーム９１に遮蔽板（例えば、中空ポリカーボネート、アクリル板、金属板、木材等）９２を取り付けて自立させることでラック列１、ラック列２、及び電算機室用暖気遮蔽体１０−１、１０−２、１０−３、１０−４、１０−５、１０−６とで構成される空間が遮蔽される。さらにフレーム９１の下側に複数の長尺状の樹脂シートからなるカーテン９３を設置することによりラック列１、２間の通路の両端が遮蔽される。これらのフレーム９１、遮蔽板９２、及びカーテン９３によりラック列１、２の背面から前面への暖気の回り込みの防止が効果的となる。
尚、本実施の形態では樹脂シートをカーテン状に配置したが、本発明は、これに限定されるものではなく、樹脂シートでロールカーテンを構成してもよい。また、カーテンの代わりに引き戸を配置してもよい。
【００５７】
＜変形例１＞
図１４（ａ）〜（ｄ）は、図１（ｂ）に示したフックの変形例を示す概念図である。
図１４（ａ）に示すフック１４−１ａは、Ｊ字形状のフック１４−１ａの湾曲部の先端が梁部材１７の外周に沿って延長された延長部１０１を有する。この延長部１０１により、フック１４−１ａが梁部材１７から抜けにくくなり、板状部材の施工時やメンテナンス時に梁部材１７からの落下を低減することができる。
【００５８】
＜変形例２＞
図１４（ｂ）に示すフック１４−１ｂは、外れ止め１０２が設けられたフック１４−１ｂである。この外れ止め１０２により、板状部材の施工時やメンテナンス時に梁部材１７から落下するのを防止することができる。
【００５９】
＜変形例３＞
図１４（ｃ）に示すフック１４−１ｃは、フック１４−１ｃの湾曲部の先端の内側に半楕円断面形状の突起部１０３を有する。この突起部１０３により、フック１４−１ｃが梁部材１７から抜けにくくなり、板状部材の施工時やメンテナンス時に梁部材１７からの落下を低減することができる。
【００６０】
＜変形例４＞
図１４（ｄ）に示すフック１４−１ｄは、フック１４−１ｄの先端に円形断面形状の突起部１０４を有する。この突起部１０４により、フック１４−１ｄが梁部材１７から抜けにくくなり、板状部材の施工時やメンテナンス時に梁部材１７からの落下を低減することができる。
【００６１】
＜変形例５＞
図１５（ａ）、（ｂ）は、梁部材の変形例である。
図１５（ａ）に示す梁部材１７−４は、角形中空管１７−４ｃの上面に多数の貫通孔１７−４ａ、１７−４ｂが一定間隔で二列形成されたものである。この梁部材１７−４の貫通孔１７−４ａ、１７−４ｂに板状部材のフックを引っ掛けるようにしてもよい。また、貫通孔１７−４ａ、１７−４ｂは角形中空管１７−４ｃの上面に限定されるものではなく、両側面にそれぞれ形成してもよい。
【００６２】
＜変形例６＞
図１５（ｂ）に示す梁部材１７−５は、棒状部材１７−５ｂに羊灯吊り（ヒートン）１７−５ａが複数取り付けられたものである。この梁部材１７−５の洋灯吊り１７−５ａに板状部材のフックを引っ掛けるようにしてもよい。尚、洋灯吊りの形状は円形に限定されるものではなく、楕円形、長円形、繭型、多角形のいずれであってもよい。
ここで、図では、梁部材１７をパイプ状の棒状部材で記載したが、棒状部材は、例えば、金属、樹脂または木材からなり、中空であっても中実であってもよく、断面形状は円形以外にも、楕円形、多角形、繭型であってもよい。また、断面がΠ字形状のレースウェイ等の金属板を折り曲げ加工した部材や異形状の部材でもよい。
【００６３】
＜変形例７＞
図１６は、梁部材の変形例である。
図１６に示す梁部材１７−６は、照明器具１００を吊り下げるシーリングバー（シーリングダクトとも言う）１７−６ａであり、このシーリングバー１７−６ａに板状部材のフックを引っ掛けるようにしてもよい。
【００６４】
＜作用効果＞
以上より、本実施形態によれば、吊り下げ部材により吊り下げられた梁部材に板状部材のフックを引っ掛けることでラック列の上面と梁部材との間が着脱自在に覆われるので、ラックの背面からの暖気がラックの前面に回り込むのが防止される。
【００６５】
尚、上述した実施の形態は、本発明の好適な実施の形態の一例を示すものであり、本発明はそれに限定されることなく、その要旨を逸脱しない範囲内において、種々変形実施が可能である。すなわち、上述した各実施形態や変形例の特徴部分は可能な限り、組み合わせて構成してよい。
【符号の説明】
【００６６】
１、２    ラック列
３    開口部
１０−１、１０−２、１０−３、１０−４、１０−５、１０−６、１０−７、１０−８    電算機室用暖気遮蔽体
１１−１、１１−２、１１−３、１１−４、１１−５、１１−６、３１−１、３１−２    吊り下げ部材
１２−１、１２−２、１３−１、１３−２、２１−１、２１−２、２２−１、２２−２、２３−１、２３−２、３２−１、３２−２、３３−１、３３−２    板状部材
４２−１、４２−２、４３−１、４３−２、６１−１、６１−２、７２−１、７２−２、７２−３    シート状部材
１４−１、１４−２、１４−３、１４−４    フック
１５    ボルト
１６    ナット
１７、１７−１、１７−２    梁部材
１８    照明器具
１９    空調装置
２５    ケーブルラック
２６    サドルバンド
２７−１、２８−１、３７−１、３７−２、３７−３、３７−４    ボルト
２７−２、２８−２    ナット
２９    クロスジョイント
３４−１ａ、３４−１ｂ、３４−１ｃ、３４−１ｄ、４２ａ、４２ｂ、４２ｃ、４２ｄ、６１−１ａ、６１−４ｂ、６１−１ｃ、６１−１ｄ    貫通孔
３４−１、３４−２    水平板状部材
３５    レースウェイ
３６    蛍光灯
４２ｅ、４２ｆ、６１−１ｅ    切り欠き
４４、６３    フック
４５、６４    ループ
４８−１、４８−２、４８−３、４８−４    固定具
４９−１、４９−２    突起部
９１    フレーム
９２    遮蔽板
９３    カーテン
【図１】
2016062379.tif 000003
【図２】
2016062379.tif 000004
【図３】
2016062379.tif 000005
【図４】
2016062379.tif 000006
【図５】
2016062379.tif 000007
【図６】
2016062379.tif 000008
【図７】
2016062379.tif 000009
【図８】
2016062379.tif 000010
【図９】
2016062379.tif 000011
【図１０】
2016062379.tif 000012
【図１１】
2016062379.tif 000013
【図１２】
2016062379.tif 000014
【図１３】
2016062379.tif 000015
【図１４】
2016062379.tif 000016
【図１５】
2016062379.tif 000017
【図１６】
2016062379.tif 000018